(57)【要約】【課題】板バネがスライドブロックに及ぼす付勢力を調整するのに、板バネの交換を行う必要がなく、かつ、板バネがスライドブロックに及ぼす付勢力の大きさを現地で容易かつ迅速に調整できるドアの開き保持装置を提供すること。【解決手段】板バネ３０をガイドレール１０の底面１２に固定する。板バネ３０の一端部３４ａを、板バネ保持部材４０の第１保持部４１ａ、第２保持部４１ｂまたは第３保持部４１ｃに嵌合させる。第１保持部４１ａ、第２保持部４１ｂおよび第３保持部４１ｃは、いずれも高さが異なっている。板バネ３０の一端部３４ａを、嵌合させる保持部４１ａ,４１ｂ,４１ｃを選択することによって、板バネ３０の高さを調節して、板バネ３０の山形形状部３２ａ,３２ｂがストップローラ２３を付勢する付勢力を適宜調節する。【選択図】図２
2007321505.tif 000002
【特許請求の範囲】
【請求項１】
ガイドレールと、
上記ガイドレールに案内されて動くスライドブロックと、
上記スライドブロックを上記ドアの開き位置に保持するための板バネと、
上記板バネの先端部を保持すると共に、互いに高さが異なる複数の保持部を有し、かつ、上記ガイドレールに対して移動可能であるバネ保持部材と
を備えることを特徴とするドアの開き保持装置。
【請求項２】
請求項１に記載のドアの開き保持装置において、
上記ガイドレールは、上に開口しており、
上記バネ保持部材は、
上記複数の保持部が形成されたバネ保持部と、
上方から操作される操作部と、
上記操作部と、上記バネ保持部とを連結する連結部と
を有することを特徴とするドアの開き保持装置。
【請求項３】
請求項２に記載のドアの開き保持装置において、
上記連結部は、上記連結部の移動範囲が制限された状態で上記板ばねと嵌合していることを特徴とするドアの開き保持装置。
【請求項４】
請求項１乃至３のいずれか１つに記載のドアの開き保持装置において、
上記板バネは、樹脂製であることを特徴とするドアの開き保持装置。
【請求項５】
請求項１乃至４のいずれか１つに記載のドアの開き保持装置において、
上記バネ保持部材は、樹脂製であることを特徴とするドアの開き保持装置。
【発明の詳細な説明】
【技術分野】
【０００１】
この発明は、ドアの開き保持装置に関し、特に、回転式のドアの開き保持装置に関する。また、この発明は、特に、上枠およびドア内臓型のドアクローザにより自閉力が付与されると共に、ドアを複数の開き位置に保持するドアの開き保持装置に関する。
【背景技術】
【０００２】
従来、ドアの開き保持装置としては、特開２００３−３０１６５１号公報（特許文献１）に記載されたものがある。図４（Ａ）は、そのドア開き保持装置を上方から見た図であり、図４（Ｂ）は、上記ドア開き保持装置の側面図である。
【０００３】
このドアの開き保持装置は、図４（Ｂ）に示すように、ドアの上部にガイドレール１０１を設け、ガイドレール１０１の底面１０７に、金属製の板ばね１０３を取り付けている。上記板ばね１０３は、複数の断面山形形状の部分、すなわち、第１山形形状部１０２ａ、第２山形形状部１０２ｂ、および、第３山形形状部１０２ｃを有している。上記ガイドレール１０１は、スライドブロック１０４を移動自在に案内している。上記スライドブロック１０４は、図４（Ｂ）に矢印Ａで示すドアの閉じ方向に所定の力で付勢されている。上記スライドブロック１０４の本体部には、ローラピンを介してローラ１０５が回転自在に取り付けられている。
【０００４】
上記ドアを開くと、上記スライドブロック１０４が、図４（Ｂ）に矢印Ｂで示す開き方向に移動するようになっている。上記スライドブロック１０４が、矢印Ｂ方向に移動すると、スライドブロック１０４の移動に伴ってローラ１０５が、矢印Ｂ方向に移動することになる。ここで、上記ローラ１０５が、第１山形形状部１０２ａ、第２山形形状部１０２ｂ、または、第３山形形状部１０２ｃの頂部を紙面において左から右に超えた時点で、人がドアから手を離すと、ローラ１０５が、常時スライドブロック１０４に加えられている矢印Ａ方向への付勢力によって矢印Ａ方向で示す閉じ方向に移動して、この閉じ方向の移動量に対応して強くなる付勢力を、ローラ１０５の閉じ側に位置しかつローラ１０５に最も近接している山形形状部の上面から受けるようになっている。そして、ローラ１０５が、上記最も近接している山形形状部の頂部よりも開き側で停止するようになっている。
【０００５】
ローラ１０５の停止位置と、ドアの開き角度（閉じた状態のドアに対するドアの角度）とは、一対一に対応している。このドアの開き保持装置は、山形形状部１０２ａ,１０２ｂ,１０２ｃが三つあるから、ローラ１０５の停止位置が三個所あり、ドアの開き角度を三段階に調整できるようになっている。
【０００６】
上記ドアの開き保持装置では、板バネ１０３の弾性力は、使用する板バネ１０３の選定時点で決定するから、ローラ１０５が山形形状部の頂部を通過するときに、人がドアに加える力も、板バネ１０３の選定時点で決定することになる。
【０００７】
このような背景において、力が比較的強い若者が多い学校等の施設において、ドアの故障防止のために、ローラ１０５が山形形状部の頂部を通過するときに、人がドアに加える力を強くしたいという要請がある一方、力が比較的弱い老人が多い老人ホーム等の施設においては、ローラ１０５が山形形状部の頂部を通過するときに、人がドアに加える力を弱くしたいという要請がある。
【０００８】
しかしながら、上記ドアの開き保持装置では、ローラ１０５が山形形状部の頂部を通過するときに、人がドアに加える力を変更するには、板バネ１０３を交換するしか手がなく、ローラ１０５が山形形状部の頂部を通過するときに人がドアに加える力を調整するのに、ドア上部にスペースがない場合、ドアを外すという大掛かりな作業が必要になるという問題がある。
【特許文献１】特開２００３−３０１６５１号公報（第２図）
【発明の開示】
【発明が解決しようとする課題】
【０００９】
そこで、この発明の課題は、板バネがスライドブロックに及ぼす付勢力を調整するのに、板バネの交換を行う必要がなく、かつ、板バネがスライドブロックに及ぼす付勢力の大きさを現地で容易かつ迅速に調整できるドアの開き保持装置を提供することにある。
【課題を解決するための手段】
【００１０】
上記課題を達成するために、このドアの開き保持装置は、
ガイドレールと、
上記ガイドレールに案内されて動くスライドブロックと、
上記スライドブロックを上記ドアの開き位置に保持するための板バネと、
上記板バネの先端部を保持すると共に、互いに高さが異なる複数の保持部を有し、かつ、上記ガイドレールに対して移動可能であるバネ保持部材と
を備えることを特徴としている。
【００１１】
本発明によれば、上記板バネの先端部を保持すると共に、互いに高さが異なる複数の保持部を有し、かつ、上記ガイドレールに対して移動可能であるバネ保持部材を備えるので、バネ保持部材を現地でガイドレールに対して移動させるだけで、板バネの先端部を保持する保持部を、現地で適宜変更することができる。したがって、板バネの先端部の配置位置の高さを現地で容易に変更することができるから、板バネがスライドブロックを付勢する力を現地で容易に変更することができる。また、バネ保持部材を現地でガイドレールに対して移動させるだけで、板バネがスライドブロックを付勢する力を容易に変更できるから、板バネがスライドブロックに及ぼす付勢力を調整するのに板バネの交換を行う必要がない。
【００１２】
また、一実施形態のドアの開き保持装置は、上記ガイドレールが、上に開口しており、上記バネ保持部材は、上記複数の保持部が形成されたバネ保持部と、上方から操作される操作部と、上記操作部と、上記バネ保持部とを連結する連結部とを有する。
【００１３】
上記実施形態によれば、上記ガイドレールが、上に開口しており、かつ、上記バネ保持部材が、上方から操作される操作部を有しているから、上記ガイドレールの開口を介して、例えば、ドライバ等の工具や、鉤状の針金等の治具を上方から操作部に接触させることができ、上記工具や治具によって、操作部をガイドレールに対して容易に移動させることができる。したがって、操作部に連結部を介して接続している保持部を、ガイドレールに対して容易に移動させることができる。
【００１４】
また、一実施形態のドアの開き保持装置は、上記連結部が、上記連結部の移動範囲が制限された状態で上記板ばねと嵌合している。
【００１５】
上記実施形態によれば、上記連結部が、上記連結部の移動範囲が制限された状態で上記板ばねと嵌合しているから、上記バネ保持部材が、その保持部が上記板バネの先端部に接触できない位置まで移動することを防止できる。
【００１６】
また、一実施形態のドア開き保持装置は、上記板バネが、樹脂製である。
【００１７】
従来、ガイドレールおよび板バネの材料としては、金属材が用いられている。ここで、金属製の板バネが弾性変形して、板バネの先端部がガイドレールに対して摺動する際に、耳障りな異音が発生することがある。この板バネとガイドレールとの摺動に起因する異音を防止して欲しいという要請がある。
【００１８】
上記実施形態によれば、上記板バネが、樹脂製であるから、板バネの先端部が、バネ保持部材の異なる保持部間を摺動する際に異音が発生することがない。
【００１９】
また、一実施形態のドアの開き保持装置は、上記バネ保持部材が、樹脂製である。
【００２０】
上記実施形態によれば、上記バネ保持部材を有し、かつ、上記バネ保持部材が、樹脂製であるから、板バネの先端部が、金属製のガイドレール上を摺動することがなく、かつ、板バネの先端部とバネ保持部材との接触と、バネ保持部材とガイドレールとの接触とのいずれもが、金属材と樹脂材との接触、または、樹脂材と樹脂材との接触になる。したがって、ドアの開き動作の際に異音が発生することがない。
【発明の効果】
【００２１】
本発明のドアの開き保持装置によれば、バネ保持部材を現地でガイドレールに対して移動させるだけで、板バネの先端部を保持する保持部を、現地で適宜変更することができる。したがって、板バネの先端部の配置位置の高さを現地で容易に変更することができるから、板バネがスライドブロックを付勢する力を現地で容易に変更することができる。また、バネ保持部材を現地でガイドレールに対して移動させるだけで、板バネがスライドブロックを付勢する力を容易に変更できるから、板バネがスライドブロックに及ぼす付勢力を調整するのに板バネの交換を行う必要がない。
【発明を実施するための最良の形態】
【００２２】
以下、本発明を図示の形態により詳細に説明する。
【００２３】
図１は、本発明の一実施形態のドアの開き保持装置を有するドアの開閉構造を示す図である。詳細には、図１（Ａ）は、ドアの開閉構造を上から見たときの上面図であり、図１（Ｂ）は、ドアの開閉構造をドアの延在方向で切断したときのドアの開閉構造の正面断面図である。また、図１（Ｃ）は、ドアの開閉構造の上枠の下面図であり、図１（Ｄ）は、ドアの開閉構造を、ドアの延在方向に垂直な方向で切断したときの側方断面図である。以下に、図１を用いて、本発明の一実施形態の開き保持装置を備えるドアの開閉構造の構造および動作について簡単に説明する。
【００２４】
このドアの開閉構造は、ドア１を有し、ドア１は、ヒンジ２を介して枠体３に回転自在に取付けられている。上記ドア１の上端部には、図１（Ｄ）に示す断面コ字状のガイドレール１０が、その開口を上側にして複数のネジ１１によって埋設状に取付けられている。
【００２５】
このガイドレール１０の底部の所定位置には、長さ方向の両側が山形形状に形成された上下方向に弾性変形可能な板バネ３０の長さ方向の中間部分が、複数のネジによって固定されている。上記板バネ３０の一端部は、フリー状態になっている一方、板バネ３０の他端部は、後に詳細に説明する、ガイドレール１０に対して移動可能であるバネ保持装置４０に嵌合している。上記板バネ３０は、上から押圧力が加えられると、その弾性力に抗して弾性変形すると共に、両端部が移動して、その高さ寸法が小さくなる一方、上記押圧力が、なくなると、その高さ寸法がもとの高さに戻るようになっている。
【００２６】
図１（Ｂ）に示すように、ガイドレール１０は、対向する二つの内側側面部の夫々に、ガイドレール１０の延在方向に延びる上下二本の直線状かつ凸形状のホールド部１０ａ,１０ｂを備えている。このガイドレール１０の二本のホールド部１０ａ,１０ｂの間には、スライドブロックの２０の本体部が、ガイドレール１０の延在方向に移動自在に嵌合している。
【００２７】
上記スライドブロック２０の本体部には、後に詳述するように、ローラピンを介して水平方向の回転軸を有するストップローラが、垂直面内で回転自在に取付けられている。ドア１の開閉動作に連動してスライドブロック２０の本体部がガイドレール１０に沿って移動すると、この本体部の移動に付随してスライドブロック２０のストップローラが、ガイドレール１０に沿って移動するようになっている。
【００２８】
図１（Ｃ）に示すように、上記枠体３の上枠３ａの下面には、取付金具８１が複数のネジ８３によって固定されている。レバー４の一端部が、取付金具８１を貫通するコンシールド型のドアクローザ５の回転軸５９に対して、取付ネジ８４を介して回転自在に取付けられている。また、このレバー４の他端部には、レバーピン８５を介して上記スライドブロック２０が取付けられている。
【００２９】
このように、レバー４の一端部を、コンシールド型のドアクローザ５の回転軸５９に取り付けることにより。ドア１に、開閉に際して適切な開閉抵抗を付与し、ドア１に自閉力を付与している。
【００３０】
また、ドアクローザ５は、取付金具８１を貫通する、ラッチング調整弁９７、一速調整弁９８および二速調整弁９９を有している。これら調整弁９８,９９を調整することによって、ドアクローザ５の動作特性を調整できるようになっている。
【００３１】
図２は、本発明の一実施形態のドアの開き保持装置を詳細に示す図である。詳細には、図２（Ａ）は、ドアの開閉構造のアーム４の先端付近を上からみた図であり、図２（Ｂ）は、ドアの開閉構造をドアの延在方向で切断したときの、ドアの開閉構造のアーム４の先端付近の切断断面図である。
【００３２】
図２（Ｂ）を参照して、このドアの開き保持装置は、金属製のガイドレール１０と、スライドブロック２０と、樹脂製の板バネ３０と、樹脂製のバネ保持部材４０とを備える。また、上記スライドブロック２０は、本体部２１と、ストップローラ２３とを有する。
【００３３】
上述のように、上記スライドブロック２０は、ガイドレール１０に案内されて動くようになっており、板バネ３０は、スライドブロック２０をドアの開き位置に保持する役割を担っている。また、バネ保持部材４０は、ガイドレール１０の底面１２に対して移動可能な構成になっている。
【００３４】
図２（Ｂ）に示すように、上記凸状のホールド部１０ａ,１０ｂは、ガイドレール１０の内側側面部に設けられ、互いに平行な状態でガイドレール１０の長さ方向に延在している。また、上記ガイドレール１０の底面１２は、その所定位置に板バネ３０を固定するネジ孔１３を有している。上述ように、上記スライドブロック２０の本体２１を、上下二条の凸状のホールド部１０ａ,１０ｂの間に水平方向に移動自在に嵌合させることにより、スライドブロック２０が上下方向に移動できないようにし、スライドブロック２０が、ガイドレール１０から外れることを防止している。また、上記ストップローラ２３は、スライドブロック本体２１から突出する軸２２に回動自在に取り付けられ、スライドブロック本体２１から下方に突出している。
【００３５】
図２（Ａ）に示すように、上記スライドブロック２０には、スライドブロック本体２１を貫通するレバーピン４ａを介してレバー４の一端部が回転自在に取り付けられている。一方、上記レバー４の他端部は、上記枠体３の上枠３ａに取り付けたドアクローザ５の回転軸５９（図１（Ｃ）参照）に回転自在に取り付けられている。
【００３６】
上記板バネ３０は、上下方向に弾性変形可能な樹脂製の材料からなっている。上記板バネ３０は、ガイドレール１０の延在方向の断面において、断面山形形状の第１山形形状部３２ａ、第２山形形状部３２ｂおよび第３山形形状部３２ｃを有している。第２山形形状部３２ｂと、第３山形形状部３２ｃとは、山形形状部３２ａ,３２ｂ,３２ｃよりも高さが低い板状の平坦部３８で連結されている。山形形状部３２ａ、３２ｂ、３２ｃの頂部の高さは、ストップローラ２３における最も低い部分よりも高くなっている一方、山形形状部３２ａ、３２ｂ、３２ｃの頂部以外の部分の高さは、ストップローラ２３における最も低い部分よりも低くなっている。上記平坦部３８の上面には、座金３６が配置されている。上記ガイドレール１０の内底部１２には板バネ固定用の穴が設けられている。また、平坦部３８に、長穴３５を設けると共に、座金３６に、平坦部３８の長穴３５と略同一の開口形状を有する長穴を設けている。平坦部３８の長穴３５および座金３６の長穴を一致させた上で、座金３６における底面１２側とは反対側から複数のネジ３１を板バネ固定用の穴にねじ込んで、板バネ３０をガイドレール１０に固定している。この実施形態では、長穴３５におけるネジの挿入部分を変動させることによって、ドア１の開き位置における開き角度を２°程度の範囲内で微調整できるようになっている。すなわち、上記ドア１の開き角度を微調整したい場合は、板バネ３０の平坦部３８に噛合しているネジ３１を緩めて、長孔３５の範囲内で、板バネ３０を移動させて、再度、ネジ３１を締めるだけで、ドアの専門家でない者でも、ドアの開き角度の微調整を容易に行うことができるようになっている。尚、この発明では、座金３６を省略できるが、この実施形態のように、平坦部３８と、ネジ３１との間に座金３６を配置すると、平坦部３８の損傷を抑制することができる。
【００３７】
上記構成において、上記ドア１を開くと、上記スライドブロック２０が、図２（Ｂ）に矢印Ａで示す開き方向に移動するようになっており、スライドブロック２０のストップローラ２３が、矢印Ａ方向に移動することになる。ここで、上記ストップローラ２３が、第１山形形状部３２ａ、第２山形形状部３２ｂ、または、第３山形形状部３２ｃの頂部を超えた時点で、人がドアから手を離すと、ストップローラ２３が、矢印Ｂ方向への上記自閉力によって閉じ方向に移動して、この閉じ方向の移動量に対応して強くなる付勢力を、ストップローラ２３の閉じ側に位置しかつストップローラ２３に最も近接している山形形状部の上面から受けるようになっている。そして、ストップローラ２３が、上記最も近接している山形形状部の開き側で停止するようになっている。
【００３８】
上記板バネ３０のヒンジ２側とは反対側の一端部３４ａおよび板バネ３０のヒンジ２側の他端部３４ｂはフリー状態で、さらに、他端部３４ｂはガイドレール１０の底面１２に接触するようになっている。
【００３９】
上記バネ保持部材４０は、バネ保持部４１と、操作部４４と、バネ保持部４１と操作部４４とを連結する連結部４５とを有している。また、バネ保持部４１は、第１保持部４１ａ、第２保持部４１ｂおよび第３保持部４１ｃを有している。各保持部４１ａ,４１ｂ,４１ｃの夫々は、バネ保持部４１の上面に形成された凹部からなり、各保持部４１ａ,４１ｂ,４１ｃの夫々は、ガイドレール１０の底面１２に略平行な底面を有している。板バネ３０の上記一端部３４ａは、ドアの開閉構造を所定の位置に取り付けたとき、鉛直方向下方に突出する凸部を有している。この凸部は、第１保持部４１ａ、第２保持部４１ｂまたは第３保持部４１ｃの底面に接触するように、凹部である第１保持部４１ａ、第２保持部４１ｂまたは第３保持部４１ｃに、嵌りこんで、第１保持部４１ａ、第２保持部４１ｂまたは第３保持部４１ｃに保持されるようになっている。
【００４０】
図２（Ｂ）に示すように、第１保持部４１ａ、第２保持部４１ｂおよび第３保持部４１ｃは、ドアの閉じ方向からドアの開き方向に、第１保持部４１ａ、第２保持部４１ｂ、第３保持部４１ｃの順で形成されている。第１保持部４１ａの底面の高さは、第２保持部４１ｂの底面の高さより高くなっており、第２保持部４１ｂの底面の高さは、第３保持部４１ｃの底面の高さより高くなっている。
【００４１】
上記板バネ３０の一端部３４の凸部が、高さが最も高い保持部４１ａに保持されると、板バネ３０の第１山形形状部３２ａは、第１山形形状部３２ａが取りうる高さのうちで最も高い位置に位置することになり、同様に、板バネ３０の第２山形形状部３２ｂも、第２山形形状部３２ａが取りうる高さのうちで最も高い位置に位置することになる。このことから、ストップローラ２３が、第１山形形状部３２ａを通過するときに、ストップローラ２３が、第１山形形状部３２ａから受ける力が最大になると共に、ストップローラ２３が、第２山形形状部３２ｂを通過するときに第２山形形状部３２ｂから受ける力が最大になる。したがって、ストップローラ２３が、第１山形形状部３２ａを通過するときに、ドアを動かすのに必要な力、および、第２山形形状部３２ｂを通過するときに、ドアを動かすのに必要な力が最大になる。
【００４２】
また、上記板バネ３０の一端部３４ａの凸部が、高さが二番目に高い保持部４１ｂに保持されると、板バネ３０の第１山形形状部３２ａは、第１山形形状部３２ａが取りうる高さのうちで二番目に高い位置に位置することになり、同様に、板バネ３０の第２山形形状部３２ｂも、第２山形形状部３２ａが取りうる高さのうちで二番目に高い位置に位置することになる。このことから、ストップローラ２３が、第１山形形状部３２ａを通過するときに、ストップローラ２３が、第１山形形状部３２ａから受ける力が二番目に大きな値になると共に、ストップローラ２３が、第２山形形状部３２ｂを通過するときに第２山形形状部３２ｂから受ける力が二番目に大きな力になる。したがって、ストップローラ２３が、第１山形形状部３２ａを通過するときに、ドアを動かすのに必要な力、および、第２山形形状部３２ｂを通過するときに、ドアを動かすのに必要な力が２番目に大きな力になる。
【００４３】
また、上記板バネ３０の一端部３４の凸部が、高さが最も低い保持部４１ｃに保持されると、板バネ３０の第１山形形状部３２ａは、第１山形形状部３２ａが取りうる高さのうちで最も低い位置に位置することになり、同様に、板バネ３０の第２山形形状部３２ｂも、第２山形形状部３２ａが取りうる高さのうちで最も低い位置に位置することになる。このことから、ストップローラ２３が、第１山形形状部３２ａを通過するときに、ストップローラ２３が、第１山形形状部３２ａから受ける力が最も低い値になると共に、ストップローラ２３が、第２山形形状部３２ｂを通過するときに第２山形形状部３２ｂから受ける力が最も低い力になる。したがって、ストップローラ２３が、第１山形形状部３２ａを通過するときに、ドアを動かすのに必要な力、および、第２山形形状部３２ｂを通過するときに、ドアを動かすのに必要な力が最低になる。
【００４４】
このように、この発明のドアの開き保持装置のバネ保持部材４０を、ガイドレール１０の内底面に対して適宜摺動させるだけで、ドアの開き保持動作を行うときに必要な力を容易かつ精密に調整できるのである。
【００４５】
図２（Ａ）に示すように、上記操作部４４は、断面略矩形状の枠からなり、鉛直方向に延在する断面矩形状の貫通穴を有している。ドアを動かすのに必要な力を最弱にしたい場合には、現地において、使用者が、ガイドレール１０の鉛直方向上方の開口から、例えば、ドライバのような棒材を操作部４４の貫通穴に挿入して、操作部４４を、操作部４４が板バネ３０から離れる方向に引っ張って、バネ保持部４１を紙面の右から左に移動させて、板バネ３０の一端部３４の凸部が嵌合する保持部として、第３保持部４１ｃを選択するようにする。一方、ドアを動かすのに必要な力を最強にしたい場合には、現地において、使用者が、ガイドレールの鉛直方向上方の開口から、例えば、ドライバのような棒材を操作部４４の貫通穴に挿入して、操作部４４を、板バネ３０の方向に引っ張って、バネ保持部４１を紙面の左から右に移動させて、板バネ３０の一端部３４の凸部が嵌合する保持部として、第１保持部４１ａを選択するようにする。このように、この発明では、ドアを動かすのに必要な力を調整するのに、板バネを交換する必要がないから、ドアを動かすのに必要な力を調整するのに要する労力を格段に低減することができる。また、ドアの取付の専門家でない使用者でも、操作部４４を移動させるだけで、ドアを動かすのに必要な力を、容易かつ迅速に調整できる。
【００４６】
図２に示す板バネ３０の一端部３４ａの先端部３９は、連結部４５の移動範囲を制限する役割を担っている。詳細には、板バネ３０の一端部３４ａの先端部３９は、板状部分３９ｂと、板状部分３９ｂの先端側に連なるコ字状のストッパ部分３９ａとからなっている。コ字状のストッパ部分３９ａは、その開口を鉛直方向下側に向けている。上記バネ保持部材４０の連結部４５は、ストッパ部分３９ａにおける鉛直方向に延在すると共に、対向する二つの側面の間を通過している。上記板バネ３０の一端部３４ａの上記凸部が、高さが最も高い第１保持部４１ａに嵌りこんだとき、ストッパ部分３９ａの操作部４４側の端面が、操作部４４のバネ保持部４１側の端面に当接するか、または、操作部４４のバネ保持部４１側の端面との間に隙間を有する状態になっている。一方、板バネ３０の一端部３４ａの上記凸部が、高さが最も低い第３保持部４１ｃに嵌りこんだとき、ストッパ部分３９ａのバネ保持部４１側の端面が、バネ保持部４１の操作部４４側の端面に当接するか、または、バネ保持部４１の操作部４４側の端面との間に隙間を有する状態になっている。
【００４７】
上記バネ保持部材４０の連結部４５は、ストッパの操作部４４側の端面が、操作部４４のバネ保持部４１側の端面に当接している位置と、ストッパのバネ保持部４１側の端面が、バネ保持部４１の操作部４４側の端面に当接している位置との間を、ガイドレール１０の延在方向に自在に移動できるようになっている。
【００４８】
言い換えれば、上記バネ保持部材４０の連結部４５は、ガイドレール１０の延在方向の移動範囲が制限されるようになっている。このように、板バネ３０の一端部３４ａの先端部で、連結部４５を拘束することにより、バネ保持部４１が、板バネ３０から無制限に離れることを防止している。このことから、バネ保持部４１の保持部４１ａ, ４１ｂ, ４１ｃが上記板バネの先端部に接触できない位置まで移動することを防止している。
【００４９】
図３は、上記ドア１の開閉に伴う上記レバー４の動きを説明する図である。
【００５０】
人がドアハンドル６に力を加えて、ドア１をその全閉位置から開き位置に矢印Ａに示す方向に移動させると、レバー４の一端部が、ドアクローザ５の回転軸５９の回りを矢印Ｃに示す方向に回転するようになっている。別の言葉でいうと、ドア１をその閉じ位置から開き位置に矢印Ａに示す方向に移動させると、上記スライドブロック２０を回転自在に支持するレバーピン４ａが、矢印Ｄの方向に移動するようになっており、回転軸５９を中心にして、円弧状の軌跡７に沿って移動するようになっている。すると、レバー４の先端部に固定されると共に、ガイドレールに案内されたスライドブロック２０が、ヒンジ２の方向に、正確には、矢印Ｂに示す方向に移動するようになっている。すると、上で詳細に説明したように、スライドブロック２０のストップローラ２３が、板バネ３０の第１山形形状部３２ａ、第２山形形状部３２ｂまたは第３山形形状部３２ｃのいずれかの頂部よりも、ヒンジ２側で停止し、ドアが、三つの所定の開き状態のうちのいずれかの状態に保持されるようになっている。
【００５１】
本発明者は、異音の発生の有無を調査するため、上記実施形態のドアの開き保持装置を有するドアの開閉構造において、ドアの開閉動作（ドアを、その全閉位置からその全開位置にした後、全閉位置にする動作）を、数万回連続して行った。そして、この数万回のドアの開閉動作の後においても、ドアの開閉動作時に異音が発生しないことを確認した。
【００５２】
上記実施形態のドアの開き保持装置によれば、板バネ３０の一端部３４ａを保持すると共に、互いに高さが異なる複数の保持部４１ａ,４１ｂ,４１ｃを有し、かつ、ガイドレール１０に対して移動可能であるバネ保持部材４０を備えるので、バネ保持部材４０を現地でガイドレール１０に対して移動させるだけで、板バネ３０の先端部を保持する保持部４１ａ,４１ｂ,４１ｃを、現地で適宜変更することができる。したがって、板バネ３０の先端部の配置位置の高さを現地で容易に変更することができるから、板バネ３０がスライドブロック２０を付勢する力を現地で容易に変更することができる。また、バネ保持部材４０を現地でガイドレール１０に対して移動させるだけで、板バネ３０がスライドブロック２０を付勢する力を容易に変更できるから、板バネ３０がスライドブロック２０に及ぼす付勢力を調整するのに板バネ３０の交換を行う必要がない。
【００５３】
また、上記実施形態のドアの開き保持装置によれば、ガイドレール１０が、上に開口しており、かつ、バネ保持部材４０が、上方から操作される操作部４４を有しているから、ガイドレール１０の開口を介して、例えば、ドライバ等の工具や、鉤状の針金等の治具を上方から操作部４４に接触させることができ、上記工具や治具によって、操作部４４をガイドレール１０に対して容易に移動させることができる。したがって、操作部４４に連結部４５を介して接続しているバネ保持部４１を、ガイドレール１０に対して容易に移動させることができる。
【００５４】
また、上記実施形態のドアの開き保持装置によれば、連結部４５が、連結部４５の移動範囲が制限された状態で板ばね３０と嵌合しているから、バネ保持部４１の保持部４１ａ,４１ｂ,４１ｃが、板バネ３０の先端部に接触できない位置まで移動することを防止できる。
【００５５】
また、上記実施形態のドアの開き保持装置によれば、板バネ３０が、樹脂製であるから、板バネ３０の一端部３４ａが、バネ保持部４１の異なる保持部間を摺動する際、および、板バネ３０の他端部３４ｂが、底面１２を摺動する際に異音が発生することがない。
【００５６】
また、上記実施形態のドアの開き保持装置によれば、バネ保持部材４０が、樹脂製であるから、板バネ３０の先端部が、金属製のガイドレール１０上を摺動することがなく、かつ、板バネ３０の先端部とバネ保持部材４０との接触と、バネ保持部材４０とガイドレール１０との接触とのいずれもが、金属材と樹脂材との接触、または、樹脂材と樹脂材との接触になる。したがって、ドア１の開き動作の際に異音が発生することがない。
【００５７】
尚、上記実施形態ドアの開き保持装置では、樹脂製の板バネ３０を使用したが、この発明では、金属製の板バネを使用しても良い。この場合、異音の発生を防止するため、バネ保持部材を設けていない側の板バネの端部に樹脂製材を貼付するか、または、板バネの先端の移動範囲の上記ガイドレールの底面に樹脂製材を貼付するのが好ましい。
【００５８】
また、上記実施形態のドアの開き保持装置では、板バネ３０の一端部３４ａ側のみにバネ保持部材４０を配置し、平坦部３８よりも一方の側に存在する山形形状部３２ａ,３２ｂの高さの調整だけを行うことができるようにした。しかしながら、この発明では、板バネ３０の両端部側にバネ保持部材４０を配置して、すなわち、図２（Ｂ）における山形形状部３２ｃ側の端部にもバネ保持部材を配置して、全ての山形形状部の高さの調整を行うことができるようにしても良い。
【００５９】
また、上記実施形態のドアの開き保持装置では、バネ保持部４１に形成されると共に、互いに底面の高さが異なる断面凹形状の保持部４１ａ,４１ｂ,４１ｃが、三つ存在したが、この発明では、互いに底面の高さが異なる断面凹形状の保持部の数は、この実施形態のように三つに限らず、一つ、二つ、または、四つ以上であっても良い。また、この場合、山形形状部の頂部を通過するときの力を、一段階、二段階、または、四段階以上に調整できることなることは言うまでもない。また、この発明では、上記実施形態とは異なり、保持部を、必ずしも、操作部４４側より、高さが高い順から低い順に並べる必要がないことも勿論である。
【００６０】
また、上記実施形態のドアの開き保持装置では、上記板バネ３０が、三つの山形形状部３２ａ,３２ｂ,３２ｃを有し、ドア１を三つの開度の開き状態に保持することができるようになっていた。しかしながら、この発明では、板バネが、一つ、二つ、または、四つ以上の山形形状部を有し、ドアを一つ、二つ、または、四つ以上の開度の開き状態に保持することができるようにしても良い。
【００６１】
また、上記実施形態のドアの開き保持装置では、ストッパ部分３９ａは、コ字形状であったが、この発明では、ストッパ部分は、貫通穴を有する構造であっても良い。そして、バネ保持部材の連結部が、ストッパ部分の貫通穴を貫いて延在している構造であっても良い。このようにして、バネ保持部材の保持部が板バネの先端部に接触できない位置まで移動することを完全に防止しても良い。
【００６２】
また、上記実施形態ドアの開き保持装置では、上記ドアクローザ５を、枠体３側に設けたが、この発明では、ドアクローザを、ドア側に設けても良く、その場合、ガイドレールを、上枠（上記実施形態では３ａに示す部分）の下部に取付けても良いことは言うまでもない。
【図面の簡単な説明】
【００６３】
【図１】本発明の一実施形態のドアの開き保持装置を有するドアの開閉構造を示す図である。
【図２】本発明の一実施形態のドアの開き保持装置を詳細に示す図である。
【図３】ドアの開閉に伴うレバーの動きを説明する図である。
【図４】従来のドアの開き保持装置を説明する図である。
【符号の説明】
【００６４】
１  ドア
３  枠体
４  レバー
５  ドアクローザ
１０  ガイドレール
２０  スライドブロック
２３  ローラ
３０  板バネ
３２ａ,３２ｂ,３２ｃ  山形形状部
４０  バネ保持部材
４１  バネ保持部
４１ａ,４１ｂ,４１ｃ  保持部
４４  操作部
４５  連結部
【図１】
2007321505.tif 000003
【図２】
2007321505.tif 000004
【図３】
2007321505.tif 000005
【図４】
2007321505.tif 000006